(57)【要約】【課題】現在はインターネットを介しての他人間のコンテンツのデジタルダビングをやり放題の著作権無視の無政府状態にある。【解決手段】ミュージックサーバー等のＡＶ機器に通信手段を設け、ＣＤ等の媒体を新しく演奏する都度、通信手段よりインターネットを介してＴＯＣ等の識別信号を基に認証機関にユーザー別のコンテンツ登録を行い、前述通信手段がインターネットを介して認証機関にコンテンツ毎にデシダルダビングの許可を求めてきた場合に、認証機関は登録状況を検索してコンテンツ媒体の正真の所有者であることを確認して開錠信号を当該ＡＶ機器に送り、受け取った当該ＡＶ機器はデジタルダビング開錠ステップを作動させてユーザーの他のＡＶ機器への直接コンテンツの移植を可能にし、或いはアップロード開錠ステップを作動させてインターネットを介してユーザーの他のＡＶ機器へのコンテンツ移植を可能にする。【選択図】　　図１
2004070893.tif 000002
【特許請求の範囲】
【請求項１】
ユーザーがＣＤ等のコンテンツ媒体を新しく使用する場合に演奏する機器は自動的にインターネットを介して機器のアドレスとコンテンツの識別情報（ＣＤであればＴＯＣ等）を認証機関のサーバーに送って当該機器が当該コンテンツ媒体の正真の所有者の所有物であることを登録し、
当該ユーザーが当該機器が自己のアドレスで登録したライブラリーを収容した装置からインターネットを介して当該ユーザーの所有物であることを予め登録した別のアドレスの機器に前述登録済みのコンテンツをデジタル情報として移植しようとする場合、
送信側となる前述登録済みのライブラリーを収納した機器は当該機器のアドレスと受信側となる機器のアドレスとコンテンツ媒体の識別情報をインターネットを介して前述認証機関に宛てて送信し、
前述認証機関のサーバーは送信側、受信側の装置が当該コンテンツの正真の所有者の所有物であることを認証すれば認証信号をインターネットを介して送信側機器に送信し、
その認証信号を受け取った送信側機器はインターネットを介して当該コンテンツをデジタル情報として送信可能となるように構成されてなる個人複製権認証システム。
【請求項２】
前述登録されたライブラリーを収納した機器は当該機器のアドレスとコンテンツ媒体の識別情報をインターネットを介して前述認証機関に宛てて送信し、
前述認証機関のサーバーは当該アドレスの機器が当該コンテンツ媒体の正真の所有者の所有物であることを認証すれば認証信号をインターネットを介して当該機器に送信し、
その認証信号を受け取った当該機器はデジタル情報を直接出力できるようになってユーザーの他の機器にデジタルダビングを可能とするように構成されてなる請求項１に記載の個人複製権認証システム。
【発明の詳細な説明】
【０００１】
【発明の属する技術分野】
本発明は、ユーザーが所有する音楽・映像コンテンツをデジタル情報として収納した当該ユーザーの機器から当該ユーザーの他の機器に移植する場合の著作権保護のためのシステムに関する。
【０００２】
【従来の技術】
音響或いは映像コンテンツの記録媒体がアナログ信号ベースである時代は複製の問題はあまり深刻には考えられていなかった。アナログ信号の性格上、１回の複製毎にコンテンツには確実にそれと判る品質劣化が発生し、複製品はもはや商業的な価値がある一級品では有り得なかったからである。しかし、これらコンテンツがＣＤ、ＤＶＤ等のデジタル信号ベースになると複製は深刻な問題となる。複製の過程において品質の劣化が全く発生しないため、オリジナルもコピーも等しく商業的一級品として通用するからである。
【０００３】
【発明が解決しようとする課題】
現在、作詞家、作曲家、アーチスト、コンテンツ制作事業者、流通業者、販売業者、その他の音楽業界の関係者たちはコンテンツ媒体を最終ユーザーに販売して収益を得るビジネスモデルによって事業を成立させている。最終ユーザーの手許にデジタルダビングによって商業的一級品の複製品が大量に出回って、現実にコンテンツ媒体の販売数量が減少するようなことがあっては事業が成立しなくなる。このような事態は近年の急激な技術の発展によって発生してきたものであり、現在のところ、音楽業界としてはこれに対抗して著作権を守るための有効な方法を整備できたとは言えない状況にある。当面は著作権法により違法なコピーは罰せられることを積極的にアナウンスしてユーザーたちの自覚に待つと共に、コンピュータでは複製ができないコピーコントロールＣＤ（ＣＣＣＤ）技術等の開発で対抗しようとしている。
【０００４】
インターネットの普及は複製の問題を更に深刻にしている。ナップスター、グヌーテラ等のＰ２Ｐ支援プログラムは当該コンテンツを所有する見知らぬ者同士の間でのコンテンツの移植を極めて容易にしており、１枚でも当該コンテンツが存在すれば短期間に際限なく一級品である複製品を増殖させることが可能になったためである。これは複製品の所有者は音楽業界に何の対価も支払わず、物理的な制約を乗り越えて容易に商業的一級品のコンテンツを入手できることを意味し、コンテンツ提供業界のビジネスモデルは壊滅的な打撃を受けることになる。
【０００５】
このような著作権侵害行為を禁止するにはデジタルダビングそのものを禁じることが一つの解決になる。しかしながら、最近ミュージックサーバー装置が普及しつつあるが、この場合は同一機器内でコンテンツ媒体を演奏させながら一方でＨＤＤ等の大容量記憶装置内に当該コンテンツのデジタルダビングを行なうことになる。即ち、同一ＡＶ機器内に媒体からコンテンツのデジタル信号を拾い出す装置と、それをデジタル記憶する大容量記憶装置を有する場合はデジタルダビングを認めない訳にはゆかない。
【０００６】
また、コンテンツ媒体の正真の所有者には個人使用のために当該コンテンツから自己使用のためにコピーを取る個人使用複製権がある。例えば自宅のＡＶ機器用のライブラリーからドライブにおいて聞くための車載用ＡＶ機器へと移植するような場合である。このような正当なデジタルダビングは可能でなくてはならない。
【０００７】
【課題を解決するための手段】
インターネットへの接続手段を有し、コンテンツのダウンロード機能及びアップロード機能を有するＡＶ機器の場合は前述自己使用複製と著作権保護を両立させ得るシステムを構築することができる。
【０００８】
同一ＡＶ機器内のデジタルダビングは法的に正当だが、ＡＶ機器の外へデジタル信号を取り出すことは基本的に法的に違法と取り決めておくとしよう。これにより、前述ＨＤＤ付きミュージックサーバー等のＡＶ機器は法的に正当となる。
【０００９】
例外としてインターネットを介してユーザーのＡＶ機器がデジタルコンテンツの識別情報を認証機関に送り、当該認証機関が当該ユーザーを正当なコンテンツ媒体所有者と認証した場合はデジタルコンテンツの出力が可能となるようにする。これにより、ユーザーが一つのＡＶ機器から自己が所有する別のＡＶ機器へとコンテンツをデジタルダビングすることができる。
【００１０】
また、ユーザーが当該ＡＶ機器からインターネットを介して別の自己所有のＡＶ機器にデジタルコンテンツを移植する場合は、夫々のＡＶ機器をユーザーの所有物である旨、予め認証機関に登録しておき、ユーザー所有ＡＶ機器間ではインターネットを介してのデジタルコンテンツの移植を可能とする。
【００１１】
【発明の実施の形態】
以上のような本発明の実施の形態について、図１を参照して詳細に説明する。
【００１２】
ユーザーは予めインターネットを介して認証機関のサイト９にユーザーの第１のＡＶ機器１のアドレスと、ユーザーの第３のＡＶ機器３のアドレスを登録する。この時、認証機関のサーバー１０はアドレス・コンテンツ登録ストレージ１２にユーザーの所有する複数のＡＶ機器のアドレスをリンクして記憶する。
【００１３】
ユーザーはユーザーの第１のＡＶ機器１にユーザーが所有するＣＤ等媒体４をミュージックサーバー部５により演奏する。この時、ユーザーの第１のＡＶ機器１は自動的に通信手段７によってインターネット８を介して認証機関のサイト９にアクセスし、自らのアドレスと当該ＣＤ等媒体４のＴＯＣ等識別情報を送り込む。但し、ＴＯＣとはテーブル・オブ・コンテンツの略称であって、各ＣＤの曲数、各曲演奏時間、休止時間等光ピックアップの制御情報を記録する信号であり、デジタルコンテンツ媒体には何らかの形でこのような制御信号が記録されている。ＴＯＣを例にとれば、ＴＯＣは人間の指紋のように個体の識別を可能にし、ＴＯＣを手がかりに当該ＣＤのタイトル、読み、アーチスト等を関係付けることができる。
【００１４】
この段階で認証機関のサイト９のサーバー１０はＣＤＤＢ等識別情報データベース１１から検索してユーザーのＣＤ等媒体４とユーザーの第１のＡＶ機器１のアドレスをリンクしてアドレス・コンテンツ登録データベース１２に登録する。
【００１５】
ユーザーの第１のＡＶ機器１はこの時、演奏と併行してＨＤＤ６にコンテンツの内容を合法的にデジタルダビングする。
【００１６】
ユーザーが必要あってユーザーの第１のＡＶ機器１からユーザーの第２のＡＶ機器２へデジタルダビングしたい場合は、ユーザーが操作して通信手段７によりインターネットを介して認証機関のサイト９にアクセスし、自動的にユーザーの第１のＡＶ機器１のアドレスと移植したいＣＤ等媒体のＴＯＣ等識別情報を送り込む。
【００１７】
認証機関のサイト９のサーバー１０はアドレス・コンテンツ登録データベース１２に照合し、ユーザーが当該コンテンツ媒体の正真の所有者であることを認証し、インターネット８を介してユーザーの第１のＡＶ機器１へデジタルダビング開錠信号を送り込んでくる。
【００１８】
それを受けた通信手段７は当該ＡＶ機器の制御プログラムの一部であるデジタルダビング開錠ステップ１３を作動させ、デジタル信号端子１４を介してユーザーの第２のＡＶ機器２に対してコンテンツのデジタル信号を出力する。このようにして、インターネット８を介せず、直接ＡＶ機器間でのデジタルダビングを認証機関の承認の下に合法的に行なうことができる。
【００１９】
次にユーザーの第１のＡＶ機器１からインターネット８を介してユーザーの第３のＡＶ機器３へコンテンツを移植する場合を説明しよう。これは第１のＡＶ機器は住宅内に設置された据置型機器であり、第３のＡＶ機器はドライブ中に使用する車載型機器であるような場合に相当する。ユーザーはユーザーの第３のＡＶ機器３を操作してユーザーの第１のＡＶ機器１から移植したいコンテンツ名称を認証機関のサイト９に通信する。この時、ユーザーの第３のＡＶ機器３とユーザーの第１のＡＶ機器１のアドレスが同時に自動的に送り込まれる。
【００２０】
この場合はユーザーが音声等でタイトル、読み、アーチスト等を伝えてくるのを受けて、サーバー１０はＣＤＤＢ等識別情報データベース１１からコンテンツの登録番号を検索するプロセスが含まれている。サーバー１０はアドレス・コンテンツ登録データベース１２に照会して、ユーザーの第１のＡＶ機器１が当該コンテンツの正真の所有者に属すること、ユーザーの第３のＡＶ機器３は同一のユーザーの所有になることを認識し、インターネット８を介してユーザーの第１のＡＶ機器１に対してアップロード開錠信号を送り込む。
【００２１】
これを受け取った通信手段７はデジタルダビング開錠ステップ１３とアップロード開錠ステップ１５を作動させ、ＨＤＤ６に記憶してある当該コンテンツを通信手段７よりインターネット８を介してユーザーの第３のＡＶ機器３へ向かって送信する
【００２２】
ユーザーの第３のＡＶ機器３はインターネット８より通信手段１６が当該コンテンツのデジタル信号を受け取り、ミュージックサーバー部１７はそれを演奏しながら併行してＨＤＤ１８に記憶させることができる。このようにして、インターネット８を介してユーザーは自らが所有するコンテンツの移植を合法的に行なうことができる。
【００２３】
【発明の効果】
本発明は以上のように構成されているので、以下のような効果を奏する。
【００２４】
本発明によれば、全てのデジタルＡＶ機器の制御プログラムにデジタルダビング開錠ステップを設けてデジタルダビングを原則禁止とし、インターネットを介して認証機関の開錠信号を受け取った場合に限り個人的なデジタルダビングが加能になり、コンテンツ制作業界の著作権保護問題と、個人使用複製権を両立させることができる。
【００２５】
また、本発明によれば、インターネットにアクセスできる通信手段を持つ複数のＡＶ機器が同一ユーザーの所有物であることが認証された場合は、コンテンツを有するＡＶ機器はインターネットを介して認証機関の開錠信号を受け取ってアップロード開錠ステップが作働してインターネットを介しての個人使用複製権を行使でき、認証されない他人間のインターネットを介してのデジタルダビングを禁止することができて、コンテンツ制作業界の著作権保護を確実に行なうことができる。
【図面の簡単な説明】
【図１】本発明になる認証システム図を示す。
【符号の説明】
１　　ユーザーの第１のＡＶ機器
２　　ユーザーの第２のＡＶ機器
３　　ユーザーの第３のＡＶ機器
４　　ユーザーが所有するＣＤ等媒体
５　　ミュージックサーバー部
６　　ＨＤＤ
７　　通信手段
８　　インターネット
９　　認証機関のサイト
１０　サーバー
１１　ＣＤＤＢ等識別データベース
１２　アドレス・コンテンツ登録データベース
１３　デジタルダビング開錠ステップ
１４　デジタル信号出力端子
１５　アップロード開錠ステップ
１６　通信手段
１７　ミュージックサーバー部
１８　ＨＤＤ
【図１】
2004070893.tif 000003